(57)【要約】【課題】蓋体の開閉時に締め付け力を余り必要としない蓋体の構造及びそれを備えた液体供給装置、液体燃料燃焼装置を提供する。【解決手段】石油ファンヒータに収容される給油タンクと、給油タンクの上部に形成されて燃料を流通させる円筒形の口金２０と、口金２０を開閉する蓋体３０とを備える。そして、蓋体３０を、口金２０の上下中心線方向に対する回転運動と口金２０の水平周方向に対する回転運動とにより開閉する。口金２０の上下方向に対する回転運動と口金２０の周方向に対する回転運動という二段階操作で蓋体３０を開閉するので、給油タンクをひっくり返したときに蓋体３０が外れたり、燃料の流出することがない。【選択図】　図４
2004125305.tif 000002
【特許請求の範囲】
【請求項１】
液体を流通させる注入口を蓋体で開閉する蓋体の構造において、
蓋体は、注入口の中心線方向に対する回動運動と給油口の円周方向に対する回動運動とにより、蓋体を開閉するようにしたことを特徴とする蓋体の構造。
【請求項２】
注入口は、略筒形に形成される蓋ベースと、注入口の中心線方向に回動する回転支持軸とを含み、この回転支持軸に蓋体を支持させてその円周方向に回転させるようにした請求項１記載の蓋体の構造。
【請求項３】
注入口の内側に形成される内周壁と、この内周壁に形成されて注入口の中心線方向に伸びる切欠溝と、この切欠溝に形成される傾斜ガイドと、この傾斜ガイドの端部に形成されるストッパとを含んでなる請求項１又は２記載の蓋体の構造。
【請求項４】
回転支持軸を略円状の包囲部に形成し、蓋体を内キャップと外キャップとに分割してこれらの間に回転支持軸の包囲部を回転可能に挟み、内キャップ内に注入口の内周壁内に嵌まるキャップ金具を設けてその外周には内周壁の切欠溝を通る突部を形成し、
突部を内周壁の傾斜ガイドに案内させて蓋体を周方向に回転させるとともに、この突部を内周壁のストッパに接触させて蓋体の周方向に対する回転を規制するようにした請求項２記載の蓋体の構造。
【請求項５】
内キャップを外キャップにより被覆し、この外キャップの裏面周縁部の一部に、内キャップの周縁部に対向するガイド片を形成し、外キャップの裏面周縁部の残部から回転支持軸を露出させるようにした請求項４記載の蓋体の構造。
【請求項６】
請求項１ないし５のいずれかに記載された蓋体の構造を備えてなることを特徴とする液体供給装置。
【請求項７】
請求項１ないし５のいずれかに記載された蓋体の構造を備えてなることを特徴とする液体燃料燃焼装置。
【発明の詳細な説明】
【０００１】
【発明の属する技術分野】
本発明は、石油ファンヒータの給油タンク等に使用される蓋体の構造及びそれを備えた液体供給装置、液体燃料燃焼装置に関するものである。
【０００２】
【従来の技術】
冬季の暖房機器として使用される石油ファンヒータには、給油タンクが使用されるが、この給油タンクの給油口、あるいは他のタンクや容器の口金等は、従来、螺子式の蓋体により開閉されている（例えば、特許文献１、特許文献２、特許文献３参照）。
【０００３】
【特許文献１】
実開昭５８‐１７３５８号公報
【特許文献２】
特開平７‐２８００９７号公報
【特許文献３】
特開２０００‐３１３４５５号公報
【０００４】
【発明が解決しようとする課題】
従来における蓋体の構造は、以上のように構成され、タンクの給油口や口金等を蓋体により螺子開閉しているので、蓋体の螺子締めが不十分の場合には、タンクをひっくり返したときに蓋体が外れたり、燃料が流出してしまうという問題がある。この問題は、近い将来、到来する高齢化社会において、握力の低下に伴う螺子締め力の不足が予想される関係上、早急な改善が望まれる。
【０００５】
本発明は、上記に鑑みなされたもので、蓋体の開閉時に締め付け力を余り必要としない蓋体の構造及びそれを備えた液体供給装置、液体燃料燃焼装置を提供することを目的としている。
【０００６】
【課題を解決するための手段】
本発明においては、上記課題を達成するため、液体を流通させる注入口を蓋体で開閉するものにおいて、
蓋体は、注入口の中心線方向に対する回動運動と給油口の円周方向に対する回動運動とにより、蓋体を開閉するようにしたことを特徴としている。
【０００７】
ここで特許請求の範囲における液体には、少なくとも飲料、石油、灯油、洗浄剤、液冷媒、工業用水等が含まれる。注入口と蓋体とは、金属製でも良いし、樹脂製等でも良い。また、回動という用語には、回転や揺動が含まれる。包囲部を含む回転支持軸は、全体として例えばＣ字形、Ｕ字形、Ω字形等に形成することができる。この回転支持軸は、蓋ベースに支持されるのが好ましいが、特にこれに限定されるものではなく、他の部材に支持されるものでも良い。この点に関しては、注入口も同様である。切欠溝や突部は単数複数いずれでも良い。さらに、本発明に係る蓋体の構造及びそれを備えた液体供給装置、液体燃料燃焼装置は、各種の家電製品（例えば、空気調和機や石油ファンヒータ等）、化学装置、建築用品、消火用具、包装容器、輸送機器等に広く利用することが可能である。
【０００８】
本発明によれば、液体を流通させる注入口を蓋体により閉じる場合には、注入口の切欠溝にキャップ金具の突部を対応させ、注入口方向に向けて蓋体を回して被覆し、蓋体を周方向の一方向に回転させる。すると、切欠溝を通過した蓋体の突部が注入口の切欠溝から傾斜ガイドに案内されて注入口の周方向にスライドし、ストッパに接触して回転が規制される。これにより、注入口は蓋体により閉じられる。
これに対し、注入口を開放する場合には、蓋体を周方向の他方向に回転させる。すると、ストッパに接触している蓋体の突部は、ストッパから傾斜ガイドに案内されて注入口の周方向にスライドし、切欠溝に移動して蓋体の開放回転が可能になる。
【０００９】
【発明の実施の形態】
以下、図面を参照して本発明の好ましい実施形態を説明すると、本実施形態における蓋体の構造及びそれを備えた液体供給装置、液体燃料燃焼装置は、図１ないし図９に示すように、石油ファンヒータ１に収容される給油タンク１０と、この燃料を貯える給油タンク１０の上部に形成されて燃料を流通させる円筒形の口金２０と、この口金２０を開閉する蓋体３０とを備え、この蓋体３０を、口金２０の上下中心線方向に対する回転（揺動）運動と口金２０の水平周方向に対する回転運動とにより、開閉するようにしている。
【００１０】
石油ファンヒータ１は、図１や図２に示すように、その一側部にタンク蓋２付きの収納室３を備え、この収納室３に給油タンク１０が上方から着脱自在に収容されるとともに、この給油タンク１０から燃料が供給される。この収納室３の隅部等には、位置決め用の切り欠き４が縦長に形成される。
【００１１】
給油タンク１０は、図２に示すように、縦長で平板形のプレート１１と、このプレート１１に接合される断面略Ｕ字形のＵ字プレート１２とから形成され、二隅部がそれぞれ縦長に面取り形成されており、石油ファンヒータ１の収納室３に左右逆にして誤って収容される場合には、収納室３の切り欠き４との関係で収納室３に収容されないようになっている。この給油タンク１０は、その上部の一部が略平坦に形成され、この一部に握持操作用の取っ手１３が回転可能に軸支される。給油タンク１０の上部の残部である二隅部は、最低３０°の傾斜でそれぞれ傾斜形成され、石油ファンヒータ１用の燃料経路接続機構１４と外部に突出する口金２０とがそれぞれ配設される。また、給油タンク１０の側部上方には、燃料の液位を視覚的に知らせる油量計１５が設置される。
【００１２】
口金２０は、図４ないし図７に示すように、蓋ベース２１の中央部付近に円筒形に一体形成され、この蓋ベース２１が給油タンク上部の隅部上に螺着や溶接等の手段で装着されることにより、給油タンク１０の上部に穿孔された丸い給油口と相互に連通する。この口金２０は、その上端部が内側に折り返されて内周壁２２を形成し、この内周壁２２には、口金２０の上下方向に伸びる複数の切欠溝２３が所定の間隔（本実施形態では１８０°）をおいて形成されるとともに、各切欠溝２３には、所定の角度・長さで周方向に傾斜しながら伸びる傾斜ガイド２４が連続形成されており、この傾斜ガイド２４の端部には、傾斜ガイド２４よりも下方に伸びる蓋体用のストッパ２５が形成される。傾斜ガイド２４とストッパ２５の間には、水平部４０が適宜形成される。
【００１３】
蓋ベース２１は、図３ないし図６に示すように、一端部両側がそれぞれ略円筒形に折り返されて一対の軸受部２６を形成し、この一対の軸受部２６に口金２０の中心線方向、換言すれば、上下方向に回転する回転支持軸２７が軸支されており、この回転支持軸２７に蓋体３０が支持されてその周方向に回転する。蓋ベース２１の軸受部２６と回転支持軸２７との間には、複数の捩りバネ２８が介在され、この捩りバネ２８が回転支持軸２７、換言すれば、蓋体３０を開放方向に弾圧付勢する。また、回転支持軸２７は、口金２０に対応する包囲部２９を備えた略Ω字形に湾曲形成され、両端部が蓋ベース２１の一対の軸受部２６にそれぞれ挿入支持される。
【００１４】
蓋体３０は、図４、図５、図８、図９に示すように、口金２０を覆う内キャップ３１と、この内キャップ３１よりも僅かに拡径に形成されて内キャップ３１を螺着被覆する外キャップ３６とを備え、これら内キャップ３１と外キャップ３６との間には、回転支持軸２７の包囲部２９が回転可能に嵌合挟持される。内キャップ３１は、図５や図８に示すように、基本的には段差を備えた断面略ハット形に形成され、その内部に口金２０の内周壁２２内に嵌合する円筒形のキャップ金具３２が一体形成されており、このキャップ金具３２の外周には、内周壁２２の切欠溝２３を通過する複数の突部３３が所定の間隔（本実施形態では１８０°）をおいて半径外方向に突出形成される。
なお、内キャップ３１は、図５において、理解を容易ならしめるため、上下逆に図示されている。
【００１５】
各突部３３は、内周壁２２の傾斜ガイド２４に上方向に対する移動を規制された状態で周方向に案内され、内周壁２２のストッパ２５に接触することにより周方向に対する過剰な回転が規制される。また、内キャップ３１の内部には、キャップ金具３２を囲む略リング形のパッキン３４が装着され、このパッキン３４が口金２０をシールする。また、内キャップ３１の半径外方向に張り出したリング形のフランジ３５には、回転支持軸２７の包囲部２９が搭載される。
【００１６】
さらに、外キャップ３６は、図３ないし図５、図９に示すように、基本的には円板形に形成され、裏面の周縁部を除く大部分には、内キャップ３１嵌合用の丸い段付き凹み穴３７が穿孔される。この外キャップ３６は、その裏面周縁部の一部に、内キャップ３１の周縁部に僅かな隙間を介して対向するガイド片３８が略半円弧形に形成され、裏面周縁部の残部から回転支持軸２７の両端部側が露出するようになっている。
【００１７】
上記構成において、給油タンク１０の給油口を蓋体３０により閉塞する場合には、口金２０の各切欠溝２３にキャップ金具３２の突部３３を対応させ、捩りバネ２８に抗しながら口金２０方向に蓋体３０を倒して嵌合被覆し、蓋体３０を時計方向に回転させれば良い。すると、切欠溝２３を通過した蓋体３０の突部３３は、口金２０の各切欠溝２３から内周壁２２の傾斜ガイド２４に接触状態で下降しながら案内されて口金２０の周方向にスライドし、内周壁２２のストッパ２５に接触してそれ以上の回転が規制される。これにより、給油タンク１０の給油口は、蓋体３０により強固に閉塞され、蓋体３０の上方向と水平方向に対する回転が規制される。
【００１８】
これに対し、給油タンク１０の給油口を開放する場合には、蓋体３０を反時計方向に回転させれば良い。すると、ストッパ２５に接触している蓋体３０の突部３３は、ストッパ２５から傾斜ガイド２４に上昇しながら案内されて口金２０の周方向にスライドし、切欠溝２３に移動して蓋体３０の上方向に対する回転規制を解除する。こうして口金２０の切欠溝２３に蓋体３０の突部３３が移動したら、蓋体３０を捩りバネ２８の弾圧付勢力を利用して上方に開放回転し、これにより、給油タンク１０の給油口が開放される。
【００１９】
上記構成によれば、給油タンク１０の給油口を蓋体３０により螺子開閉するのではなく、口金２０の上下方向に対する回転運動と口金２０の周方向に対する回転運動という二段操作で蓋体３０を完全に開閉するので、給油タンク１０をひっくり返したときに蓋体３０が外れたり、燃料が流出してしまうということがない。また、蓋体３０を何回も回すのではなく、所定の角度だけ回転させるだけで良いから、例え握力の弱い者でも、給油タンク１０の給油口を適切に閉じることができる。
【００２０】
また、蓋体３０を大きく形成すれば、例え弱い操作力でも、給油タンク１０の給油口を適切に閉じることができる。また、蓋体３０の構成要素も少なく、構成も実に簡素なので、組立作業の容易化が大いに期待できる。さらに、捩りバネ２８が回転支持軸２７を常時開放方向に弾圧付勢するので、閉じた蓋体３０を指で引き上げる必要がなく、蓋体３０の開放作業がきわめて容易となる。さらにまた、外キャップ３６の裏面周縁部の一部に、内キャップ３１の周縁部に対向するガイド片３８を形成するので、回転支持軸２７の包囲部２９を隠蔽することができ、体裁を整えることも可能である。
【００２１】
なお、口金２０の傾斜ガイド２４とストッパ２５とは連続形成しても良いが、なんらこれに限定されるものではない。例えば、これら口金２０の傾斜ガイド２４とストッパ２５の間に水平部４０を形成し、蓋体３０の安易な緩みを規制するようにしても良い。また、キャップ金具３２の自由端部に複数の切り込みを周方向に形成して可撓性を付与しても良い。さらに、外キャップ３６の周面に、複数の凹凸を形成して握りやすくしたり、滑りにくくすることも可能である。
【００２２】
【発明の効果】
以上のように本発明によれば、蓋体開閉時の締め付け力を軽減することができるという効果がある。
【図面の簡単な説明】
【図１】本発明に係る蓋体の構造及びそれを備えた液体供給装置、液体燃料燃焼装置の実施形態における石油ファンヒータを示す全体斜視図である。
【図２】本発明に係る蓋体の構造及びそれを備えた液体供給装置、液体燃料燃焼装置の実施形態における収納室と給油タンクとを示す斜視説明図である。
【図３】本発明に係る蓋体の構造の実施形態における蓋体の閉塞状態を示す斜視説明図である。
【図４】本発明に係る蓋体の構造の実施形態における蓋体の開放状態を示す斜視説明図である。
【図５】本発明に係る蓋体の構造の実施形態における分解斜視説明図である。
【図６】本発明に係る蓋体の構造の実施形態における口金等を示す斜視説明図である。
【図７】図６の裏面図である。
【図８】本発明に係る蓋体の構造の実施形態における内キャップを示す斜視説明図である。
【図９】本発明に係る蓋体の構造の実施形態における外キャップを示す斜視説明図である。
【符号の説明】
１　　　　　石油ファンヒータ
３　　　　　収納室
１０　　　　給油タンク
２０　　　　口金（注入口）
２１　　　　蓋ベース
２２　　　　内周壁
２３　　　　切欠溝
２４　　　　傾斜ガイド
２５　　　　ストッパ
２１　　　　蓋ベース
２６　　　　軸受部
２７　　　　回転支持軸
２８　　　　捩りバネ
２９　　　　包囲部
３０　　　　蓋体
３１　　　　内キャップ
３２　　　　キャップ金具
３３　　　　突部
３６　　　　外キャップ
３８　　　　ガイド片
【図１】
2004125305.tif 000003
【図２】
2004125305.tif 000004
【図３】
2004125305.tif 000005
【図４】
2004125305.tif 000006
【図５】
2004125305.tif 000007
【図６】
2004125305.tif 000008
【図７】
2004125305.tif 000009
【図８】
2004125305.tif 000010
【図９】
2004125305.tif 000011